(57)【要約】【課題】この発明は、トンネルのアーチクラウン部における、より簡易で均質なコンクリート締固めを行うことを課題とするものである。【解決手段】  トンネルのアーチクラウウン部１に配設されるコンクリートバイブレーター２の前後に牽引条４を連結し、前記コンクリートバイブレーター２の一端にキャブタイヤケーブル３を連結する。  前記牽引条４はコンクリートバイブレータ２を介してループを形成し、アーチクラウン部１においてその型枠と平行に配設し、アンカーに取り付けられた案内部材を介してトンネルの下方に導く。下方に導かれた牽引条には回転体１７を介在させ、前記回転体の回転により制御条が移動し、もって前記コンクリートバイブレータがアーチクラウン部に沿って移動するようにして、トンネル履工のアーチクラウン部のコンクリート締め固め装置を構成する。【選択図】 図２ 
2005273255.tif 000002
【特許請求の範囲】
【請求項１】
トンネル履工のアーチクラウウン部に配設されるコンクリートバイブレーターの前後に牽引条が連結され、前記コンクリートバイブレーターの一端にキャブタイヤケーブルが連結され、
前記アーチクラウン部のコンクリート未施工側にアンカーが設置され、
前記牽引条は、前記コンクリートバイブレーターを介してループを形成し、
前記牽引条は前記アーチクラウン部において、その型枠と平行に配設され、前記アンカーの上部及び下部に取り付けられた案内部材を介してトンネルの下方へ導かれ、
前記下方へ導かれた牽引条には回転体が介在し、
前記回転体の回転により制御条が移動し、もって前記コンクリートバイブレーターがアーチクラウン部に沿って移動するようにした、トンネル履工のアーチクラウン部のコンクリート締め固め装置
【請求項２】
トンネル履工のアーチクラウウン部に配設されるコンクリートバイブレーターの前後に牽引条が連結され、前記コンクリートバイブレーターの一端にキャブタイヤケーブルが連結され、
前記前後の牽引条はそれぞれ案内部材に沿わせて向きが変更されて、端部はアンカーに固定され、前記前方の牽引条の案内部材と後方の牽引条の案内部材とは制御条で連結され、前記制御条には回転体が介在し、
前記回転体の回転により制御条が移動し、もって前記コンクリートバイブレーターがアーチクラウン部に沿って移動するようにした、トンネル履工のアーチクラウン部のコンクリート締め固め装置
【請求項３】
牽引条はキャプタイヤケーブルに内装した、請求項１又は２に記載のトンネル履工のアーチクラウン部のコンクリート締め固め装置
【請求項４】
キャブタイヤケーブルは先端に受電部を有し、この受電部の一端がアンカーに固定された導電線に接続された、請求項２記載のトンネル履工のアーチクラウン部のコンクリート締め固め装置
【請求項５】
コンクリートバイブレータ−は、中間に防振継ぎ手を備えた棒状とし、低振動部の２箇所以上にスペーサーを設けたものとした、請求項１又は２に記載のトンネル履工のアーチクラウン部のコンクリート締め固め装置
【発明の詳細な説明】
【技術分野】
【０００１】
この発明は、トンネル内の二次覆工用のコンクリートを打設する際に、特に締固めが困難とされているアーチクラウン部に打設されるコンクリートの締固めに使用される装置に関するものである。
【背景技術】
【０００２】
従来アーチクラウン部のコンクリート締固めは、型枠にコンクリートバイブレーターを所定間隔で固定して行うことが一般的であった。
しかし、この方法においては多数のコンクリートバイブレーターを閉鎖空間であるトンネル内で駆動させるために、騒音が極めて大きい。
そこで、これを解決するために、コンクリートバイブレーターを打設コンクリート内を移動させて締固めを行う技術が提案されている。
【特許文献１】特開2003-227297号
【０００３】
上記特許文献には以下の技術が開示されている。
トンネル内に型枠を使用してコンクリートを打設する工程において、牽引部の先端に振動部を備え、牽引に適した素材からなる振動部材を型枠とトンネル内壁面との間に、その基端を巻揚機構に装着して型枠の長さ方向に沿わせて配設させた後、型枠とトンネル内壁面との間へのコンクリート打設後またはコンクリート打設時に振動部材（コンクリートバイブレーター）を移動させると共に、巻揚機構を介して振動部材を巻揚げ、繰出すことにより、型枠の長さ方向に沿わせて移動させ、コンクリートを締固めする。
【０００４】
従来技術は次のような欠点を有している。
１）コンクリート内に配設される牽引部を直接巻揚機構で巻揚げる構成であるから、牽引部にコンクリートが付着した場合、巻揚げ機に付着しないように洗浄機構で洗浄しなければならず、余分な装置と管理が必要である。
２）巻揚げ、繰出し時には前後の巻揚げ機の連動が不可欠であり、巻揚げ機の機構や制御方法に制約が多く、扱いも難しい。
３）巻揚げ機が前後２つ必要であるため、締固め完了後必ずどちらかの牽引部（ワイヤー等）を回収しなければならない。
４）牽引部の回収により牽引ワイヤー部は空洞として残り、構造的な欠陥となる恐れがある。
５）巻揚げ、繰出しができるとされているが、現実的には繰出し力の確保が困難（高トルク巻揚げ機が前部にも必要となる。）で巻揚げ動作のみの操作となることが多い。
６）従って一旦後退させた振動機を前進させにくいがため、天板全体にコンクリートが行き渡ってからの加振締固め作業となり、巻上げ機には数十トンの牽引力が必要となる。（大型／高コスト）
【発明の開示】
【課題を解決するための手段】
【０００５】
請求項１の発明は以下の構成である。
トンネル履工のアーチクラウウン部に配設されるコンクリートバイブレーターの前後に牽引条を連結し、前記コンクリートバイブレーターの一端にキャブタイヤケーブルを連結する。前記アーチクラウン部のコンクリート未施工側にアンカーを設置し、このアンカーの上部及び下部に案内部材を取り付ける。
前記牽引条はコンクリートバイブレータを介してループを形成し、アーチクラウン部においてその型枠と平行に配設し、前記アンカーに取り付けられた案内部材を介してトンネルの下方に導かれる。
前記下方に導かれた牽引条には回転体を介在させ、前記回転体の回転により制御条が移動し、もって前記コンクリートバイブレータがアーチクラウン部に沿って移動するようにして、トンネル履工のアーチクラウン部のコンクリート締め固め装置を構成する。
【０００６】
請求項２の発明は、コンクリートバイブレーターに連結された牽引条を下方に位置する回転体によって移動させるようにした点において共通しする。そして、牽引条を移動させる具体的手段として、前記前後の牽引条はそれぞれ案内部材に沿わせて向きが変えられて、その端部はアンカーに固定し、前記前方の牽引条の案内部材と後方の牽引条の案内部材とは制御条で連結する。前記制御条には回転体を介在させ、前記回転体の回転により制御条が移動し、もって前記コンクリートバイブレータがアーチクラウン部に沿って移動するようにして、トンネル履工のアーチクラウン部のコンクリート締め固め装置を構成する。
【０００７】
前記牽引条は、ワイヤ、チェーンなどを使用する。
前記牽引用ワイヤの案内部材は、滑車、ローラーなどを使用する。また、案内部材同士を連結する制御条は、ワイヤ、チェーンなどを使用する。そして、制御条を移動させる回転体は、制御条がワイヤの場合はローラ−、チェーンの場合はスプロケットホイールを使用する。
前記回転体は、電動機で駆動されるもの、油圧式のものなど駆動力は問わない。
【０００８】
前記牽引条はキャプタイヤケーブルに内装することが好ましいが（請求項３）、牽引条とキャブタイヤケーブルは独立させてもよい。
コンクリートバイブレーターへの給電は、一方のアンカーにコンクリートバイブレーター駆動用電力の導電線を取り付け、これにキャブタイヤケーブルの先端に設けた受電部を接続することがこのましが（請求項４）、キャブタイヤケーブルの受電部を発電機に直接接続してもよい。                
この発明に使用するコンクリートバイブレーターは、コンクリート内の移動を移動しやすいこと、コンクリートバイブレーター除去後の空洞が可及的に生じないようにすることから、小径の棒状のものが好ましい。特に、中間に防振継ぎ手を備えた棒状とし、低振動部の２箇所以上にコンクリートバイブレーターが型枠に接触することを防止するためのスペーサーを設けたものが好ましい（請求項５）。
【発明が解決しようとする課題】
【０００９】
この発明は、上記従来技術の欠点を補い、より簡易に均質なコンクリート締固めが出来るようなされたものであり、特に次の課題の解決を目的としたものである。
１）巻揚げ機の牽引部（ワイヤー）の洗浄が不要であること。
２）バイブレータの前後両方向の移動が簡単にできること。
３）締固め完了後、ワイヤーの回収が不要であること。
４）巻揚げ機が１台で構成できること。
【発明の効果】
【００１０】
この発明の装置は、コンクリート打設作業の施工区間の後方端又は両端にアンカーを設置し、アーチクラウン部に配設したコンクリートバイブレータ−の牽引条を、前記アンカーに取り付けられた案内部材に沿わせる。このとき牽引条はたるみのない状態としておく。他方トンネルの下部に回転体を設置し、回転体を牽引条（請求項１）又は制御条（請求項２）に介在させる。前記牽引条、制御条もたるみのない状態としておく。
この状態で、バイブレータを駆動させると共に回転体を回転させると、牽引条が前後に移動し、その結果コンクリートバイブレータ−はアーチクラウン部を牽引条にそって移動する。
【００１１】
この発明によれば、以下の通り上記課題が解決される。
１）前記回転体の回転方向を変えるのみでコンクリートバイブレーターの進行方向を変えることができる。すなわち、往復移動を容易に行うことができる。
２）締固め完了後は、コンクリートからバイブレーターを取り除き、牽引条はそのままコンクリート中に埋め殺すことにより、コンクリート中に中空部が生じるおそれがないる
３）牽引条又は牽引条と制御条とでループが形成されるので、１台の回転体により、バイブレーターを前後に自在に移動させることができる。
４）請求項２の発明においては、上記特許文献１における巻揚げ機に相当する回転体は、牽引条を直接作動させるものではなく、コンクリート内を通過しない制御条を作動させるものである。したがって、牽引条にコンクリートが付着しても回転体の作動に全く影響しない。よって、牽引条の洗浄は不要である。
【発明を実施するための最良の形態】
【００１２】
図１はこの発明の装置の概略を示すものである。トンネルのアーチクラウン部１にコンクリートバイブレーター２が配設してあり、その後端（図中左側）に牽引条となるワイヤを内装したキャブタイヤケーブル３が連結してあり、前端に牽引条となるワイヤ４が連結してある。
【００１３】
前記キャブタイヤケーブル３は、後方のアンカー５に取り付けられた固定滑車６，案内部材となる自在滑車７に沿わせてジグザグに向きを変えて配設してある。このキャブタイヤケーブル３の先端には受電部８が設けてある。この受電部８は基端が前記アンカー５に固定された導電線９の先端に結合してあり、キャブタイヤケーブル３及び内装されたワイヤは、前記導電線９を介してアンカー５に固定されている。
他方、前記バイブレーター２の前端に連結されたワイヤ４は、型枠内部に取り付けられたガイド１０，固定滑車１１、案内部材となる自在滑車１２に沿わせて向きを変え、ワイヤ４の先端が前方のアンカー１３に固定されている。
前記固定滑車６とガイド１０は、前記キャブタイヤケーブル３及びワイヤ４がアーチクラウン部の型枠とほぼ平行に配設される位置に設置してある。
【００１４】
前記二つの自在滑車７，１２は制御条となる制御ワイヤ１４で連結されている。コンクリート打設施工区間の中央部に、二つの固定滑車１５，１６が設置してあり、これらの固定滑車によって前記制御ワイヤ１４は下方へ導かれ、回転体１７に沿わせてある。
上記において、コンクリートバイブレータ２に取り付けられた前後のワイヤ及び制御条としての制御ワイヤ１４は高い張力で配設され、前記回転体１７の回転により制御ワイヤ１４が移動し得るようにしてある。
【００１５】
図４，図５はこの発明の装置に適したコンクリートバイブレータ２である。
このコンクリートバイブレータ２は棒状であって、先端にワイヤ４を連結するためのリング１８が設けてあり、後端にワイヤを内装したキャブタイヤケーブル３が連結してある。
前記コンクリートバイブレータ２は、中間に防振継ぎ手１９が設けてあり、低振動部には２箇所にスペーサー２０が設けてある。このスペーサー２０は、バイブレーターが型枠に接触することを防止するためのもので、図４に示すように放射状の突起として構成し、バイブレーターの進行を可及的に阻害しないようにしてある。また、前記防振機構１９により、バイブレータの振動のワイヤへの伝達を可及的に減らすことができる。
【００１６】
以下この装置の使用方法を説明する。
図１，２中右側から、型枠内にコンクリートを打設する。型枠内に打設されたコンクリートが増えるに従い、コンクリート面は側壁部から徐々に上昇し、やがて型枠の天板部に達する。バイブレータ２の全体がコンクリートで埋まる程度になったところでバイブレータ２を駆動させる。
バイブレータ２を振動させたまま十数秒の時間を掛けながら回転体１７を反時計回りに回転させる。回転体１７を反時計回りに回転させると、制御ワイヤ１４は図中右側へ移動するので、前後の自在滑車７，１２も右側へ移動する。自在滑車７，１２が右側へ移動することにより、バイブレータに連結されたワイヤは図中左側（後方）へ移動する。したがって、バイブレータも振動しつつ同方向へ移動することとなり、バイブレータの移動した区間において打設コンクリートは締固められる。
コンクリートが十分に打設された区間（図２における斜線部分）を移動の後、コンクリートの少ない箇所に至ったときには一旦振動を停止し、再びコンクリートが増えるのを待つ。以降、上記の動作を繰り返す。
尚、コンクリートの打設速度によっては、コンクリートの増加速度に合わせて振動機を連続的に引き続けたり、前進後退を繰り返しながら漸次後退したりする。
【００１７】
上記操作により全区間の締固めが完了したとき、バイブレータ２は図中左端に位置する。すなわち、バイブレータ２は打設コンクリートの外にあり、コンクリート内にはワイヤのみが残る。
ここで、ワイヤの回収は行なわず、振動機および滑車から外し任意に切断しコンクリート中に埋設したままとする。
ワイヤを埋め殺しとすることにより以上、従来技術の致命的問題点である締固め後のワイヤー引き抜きによる空洞化による欠陥懸念が解消されるという大きな効果が得られる。
【００１８】
図６は請求項１の発明の実施形態である。
コンクリートバイブレータ２の後端にワイヤ４を内装したキャブタイヤケーブル３の一端が接続してあり、前記コンクリートバイブレータ２の前端にワイヤ４の他端が連結してあり、前記ワイヤ４はコンクリートバイブレータ２を介してリンクを形成している。
【００１９】
トンネルのアーチクラウン部におけるコンクリート未施工側（図中左側）にはアンカー５が設置してあり、アンカー５の上部及び下部に固定滑車６が取り付けてある。前記上部の固定滑車６は前記アーチクラウン部においてキャブタイヤケーブル３及びワイヤ４がアーチクラウン部の型枠と平行となる位置に配設してある。
情報の固定滑車６によりワイヤ４は下方へ導かれ、下方の固定滑車６によってワイヤ４はトンネル基盤面とほぼ平行となって前方へ導かれる。
前記アーチクラウン部の他側（図中左側）において、型枠内にガイド１０が設置してあり、ガイド１０によてワイヤ４は下方へ導かれる。  
前記ガイド１０の下方に回転体１７が設置してあり、ワイヤ４は回転体１７に沿わせてある。
上記において、コンクリートバイブレータ２に取り付けられた前後のワイヤ４は高い張力で配設され、前記回転体１７の回転によりワイヤ４が移動し得るようにしてある。図中符号１５は後方から導かれたワイヤ４を回転体１７の下側に導くための固定滑車である。
【００２０】
この実施形態においても、回転体１７を回転させることによりワイヤ４が移動し、もってコンクリートバイブレータ２が前後に移動する。
なお、前記回転体１７の設置位置は適宜選択することができる。
【産業上の利用可能性】
【００２１】
この発明によれば、
１）回転体の回転方向を変えるのみでバイブレータの前進・後進を切り替えることができるため、きめの細かい締固め作業が可能となる。
２）締固め後にコンクリート内に残るワイヤは埋め殺しにすることができ、ワイヤなどの回収による空洞形成による欠陥懸念が全く無い。
などの効果が得られる。  
３）請求項２の発明においては、回転体が制御する制御条がコンクリート中に入り込むことが無いため、ワイヤなどの洗浄が一切不要となる。
また、全体装置を小形・軽量とすることができ、設置／移動が容易で工期の短縮にも貢献でき、あわせて、回転体で操作が可能であるため、省スペース・低コスト化が可能となる。
よって、産業上利用可能性を有するものである。
【図面の簡単な説明】
【００２２】
【図１】この発明の実施状態を示す概略図
【図２】この発明の実施形態における施工当初の状態を示す図
【図３】同じく施工完了時の状態を示す図
【図４】同じくコンクリートバイブレーターの正面図
【図５】同じく右側面図
【図６】この発明の別の実施形態における施工当初の状態を示す図
【符号の説明】
【００２３】
１    アーチクラウン部
２    コンクリートバイブレーター
３    キャブタイヤケーブル
４    ワイヤ
５    後部アンカー
６    固定滑車
７    自在滑車
８    受電部
９    導電線
１０  ガイド
１１  固定滑車
１２  自在滑車
１３  前部アンカー
１４  制御ワイヤ
１５  固定滑車
１６  固定滑車
１７  回転体
１９  防振継ぎ手
２０  スペーサー
【図１】
2005273255.tif 000003
【図２】
2005273255.tif 000004
【図３】
2005273255.tif 000005
【図４】
2005273255.tif 000006
【図５】
2005273255.tif 000007
【図６】
2005273255.tif 000008